(57)【要約】  【課題】  便器の取付位置を低く抑えることができ、室内にトイレ入口を設けても、室内に汚物臭気が漏れて来るような心配もない汚物吸引型の仮設トイレを提案するものである。  【解決手段】  便槽を便器本体離れた場所に設置し、便器本体は薄型筺体上に取付けられ、筺体内には便器本体内と連通する通路が筺体外に向けて形成され、通路内には筺体内に設けたモータ駆動の螺旋状コンベアが設置され、通路内に落下する汚物を筺体外に向けて搬送可能に構成され、通路先端に設けられたリレータンクと便槽とは高圧ホースにより接続され、便槽上部には吸引ポンプを備えた吸引タンクが設けられ、リレータンク内の汚物は高圧ホースを介していったん吸引タンク内に貯留するようにし、ポンプが停止すると吸引タンク下底部に閉塞状態に賦勢されて取付けられた逆止弁が汚物の自重で開いて汚物を便槽内に落下収容するように構成されてなることを特徴とする。  【選択図】    図１
2005074008.tif 000002
【特許請求の範囲】
【請求項１】
便槽を便器本体と所定距離だけ離れた場所に設置し、便器本体は薄型筺体上に取付けられ、該筺体内には便器本体内と連通する通路が筺体外に向けて形成され、該通路内には筺体内に設けたモータにより駆動される螺旋状コンベアが設置されていて、該通路内に落下する汚物を筺体外に向けて搬送可能に構成され、該通路先端にはリレータンクが設けられ、該リレータンクと上記便槽とは高圧ホースにより接続され、便槽上部には吸引ポンプを備えた吸引タンクが設けられて、上記リレータンク内の汚物は上記高圧ホースを介していったん該吸引タンク内に貯留するようにし、上記ポンプが停止すると吸引タンク下底部に閉塞状態に賦勢されて取付けられた逆止弁が汚物の自重で開いて汚物を便槽内に落下収容するように構成されてなることを特徴とする吸引型仮設トイレ装置。
【請求項２】
前記螺旋状コンベアはコイル状又はスクリュー型である請求項１記載の吸引型仮設トイレ装置。
【請求項３】
前記便器本体にはペダル等のスイッチ手段により洗浄水を噴射するための水タンクが付設され、該スイッチ手段の始動により前記螺旋状コンベアを駆動するモータが連動するように構成されてなる請求項１又は２記載の吸引型仮設トイレ装置。
【発明の詳細な説明】
【技術分野】
【０００１】
本発明は各種工事現場やイベント会場等に設置される仮設トイレに関するもので、特に便器下に便槽を設置するための大きな穴を掘る必要がなく、便器本体の地面からの高さを低く抑えることができる仮設トイレ装置に関するものである。
【背景技術】
【０００２】
従来の仮設トイレは、便器の直下に便槽を設置するので、便槽を置くときには、便器本体は必然高い位置となり、便器本体までに階段を設ける必要があり、また便器を低い位置にしようとすれば、便器下に便槽を埋設する大きな穴を掘らなければならず、コスト高となる。
【０００３】
また、例えば建設現場等の仮設事務所にトイレを設置する場合、仮設トイレからの臭気が室内に漏れて来るので、トイレを仮設事務所から離れた場所に設置したり、事務所の一角に設置する場合でも、トイレ入口を屋外側とする等の方法を採らざるを得なかった。
【発明の開示】
【発明が解決しようとする課題】
【０００４】
本発明は、便器の取付位置を低く抑えることができ、室内にトイレ入口を設けても、室内に汚物臭気が漏れて来るような心配もない汚物吸引型の仮設トイレ装置を提案するものである。
【課題を解決するための手段】
【０００５】
本発明は、便槽を便器とは離れた任意の位置に設置し、便器はモータにより駆動される螺旋状コンベアが設けられた筐体上に取付けられ、便器から該筺体内に落下した排泄汚物は上記コンベアによりリレータンクに送られ、吸引ポンプにより高圧ホースを介して吸引されて便槽に運搬・貯留されるように構成されてなる吸引型仮設トイレ装置に関するものである。
【０００６】
本発明の吸引型仮設トイレ装置を更に詳述すれば、便槽を便器本体と所定距離だけ離れた場所に設置し、便器本体は薄型筺体上に取付けられ、該筺体内には便器本体内と連通する通路が筺体外に向けて形成され、該通路内には筺体内に設けたモータにより駆動される螺旋状コンベアが設置されていて、該通路内に落下する汚物を筺体外に向けて搬送可能に構成され、該通路先端にはリレータンクが設けられ、該リレータンクと上記便槽とは高圧ホースにより接続され、便槽上部には吸引ポンプを備えた吸引タンクが設けられていて、上記リレータンク内の汚物は上記高圧ホースを介していったん該吸引タンク内に貯留するようにし、上記ポンプが停止すると吸引タンク下底部に閉塞状態に賦勢されて取付けられた逆止弁（フラッパー）が汚物の自重で開いて汚物を便槽内に落下収容するように構成されてなるものである。
【発明の効果】
【０００７】
本発明の装置によれば、便槽は便器本体とは離れた場所に設置され、便器下にはリレータンクに向けて汚物を搬送する螺旋状コンベアとこれを駆動するモータを内蔵する薄型の筺体が設けられているに過ぎないので、便器下に便槽を設置するために建物直下に大きな穴を掘る必要がなく、便器本体の位置を低く抑えることができるので、便所内の高さ空間を大きくとることができる。
【０００８】
しかも、本発明によれば便器本体から落下する排泄物は螺旋状コンベアにより細分化されてリレータンク内に搬送され、吸引ポンプにより高圧ホースを介して便槽上の吸引タンク内にいったん集めるようにしたので、螺旋状コンベアが設けられる筺体内の通路や高圧ホース中に汚物が残留することがなく、汚物を圧送する方式のように途中のホース等で汚物が常時滞留するような心配はない。
【０００９】
従って、この装置の便器と筺体部分を備えた便所を工事現場の事務所等の一部に設置して便所入口を室内に向けても、事務所内に臭気が漏れる恐れはない。
【００１０】
さらに、本発明装置では、１回の便器使用毎に吸引ポンプにより吸引タンク内に集められた汚物は、吸引ポンプの停止により、その自重で自動的に逆止弁（フラッパー）が開いて便槽内に落下収容され、収容後に逆止弁が閉じるので、便槽からの臭気の漏出の心配もない。
【００１１】
このように、本発明の装置によれば、小型・単純な螺旋コンベアを便器下に設けることにより、装置全体が簡略化され、コストダウンが可能である等、種々の利点を有する。
【発明を実施するための最良の形態】
【００１２】
図１は本発明装置の実施形態の一例を示す説明図で、１は便所Ａ内に設置された簡易水洗便器本体で、該便器本体1にはペダル又はボタンスイッチ等のスイッチ手段（図示せず）の作動により便器本体１内に洗浄水を噴射するための水タンク（図示せず）が付設されており、該便器本体１は扁平薄型（例えば高さ１５〜２０cm）の筺体２上に設置され、便器本体１内は該筺体２内の後記通路４と連通する。６は便器本体１内底部に設けられた汚物の自重で旋回する下方へのみ旋回可能な逆止弁（フラッパー）で、通常は閉塞状態に賦勢されている。
【００１３】
３は筺体２内の便器本体１下側から後方に向けて形成された通路４内に設置した螺旋状コンベアで、該コンベア３は図示のようなコイル状かあるいはスクリュー型に形成され、筺体２内前側に内蔵する電動モータ５により回動し、便器本体１内から通路４内前方に落下した汚物を破砕し細分化しながら後方に向かって送出するようになっている。
【００１４】
７は前記通路４先端に接続された便所Ａ外側にあるリレータンクで、便器本体１内に排泄された汚物は１回の使用毎にこのリレータンク７内に短時間溜められる。
【００１５】
８は便所Ａから一定距離を置いた屋外に設置した便槽で、この便槽８と上記リレータンク７とは高圧ホース９により接続されている。
【００１６】
１０は便槽８上部に設けられた吸引タンクで、上記ホース９先端は該吸引タンク１０内下方に臨ませてなり、該吸引タンク１０の上側には回転羽根式等の吸引ポンプ１１が取付けられ、該吸引ポンプ１１の作動により上記リレータンク７内の汚物をホース９を介して吸引タンク１０内に１回毎にその全量を溜め、吸引ポンプ１１が停止すると、吸引タンク１０内の負圧状態が解除され、通常は閉塞状態に賦勢されているが、汚物の自重で該吸引タンク１０下底部に設けられて下方にのみ旋回可能な逆止弁（フラッパー）１２を開けて、便槽８内に落下収容されるようになっている。
【００１７】
しかして、便器本体１を使用後、ペダル等のスイッチ手段を押すと、便器本体１内に向けて洗浄水が噴出されると同時に、これに連動して筺体２内のモータ５が駆動され、筺体２内の通路４に落下して来た汚物を順次後方にあるリレータンク内に送り溜めて行く。モータ５が所定時間（例えば２０秒〜１分間）駆動して停止すると、今度は屋外の便槽８に備える吸引ポンプ１１が自動的に駆動され、リレータンク７内の汚物をホース９を介して便槽８上部の吸引タンク１０内にその全量を溜め、ポンプ１１が所定時間（例えば５〜２０秒間）経過後に停止する。これにより、ポンプ１１の負圧によって閉塞されていた吸引タンク１０底部の逆止弁（フラッパー）１２は吸引タンク１０内の汚物の自重によって開放され、便槽８内に落下収容されることとなるのである。
【００１８】
なお、本発明装置の構成のうち、高圧ホース９から便槽８に至る部分については、排泄物等の汚物を吸引収容する場合だけでなく、リレータンク７側のホース９先端に吸引具を取り付けることにより、これをそのまま床等を洗浄研磨後に発生する汚濁水を吸引するための業務用の掃除機その他の清掃用機器に転用することも可能である。
【図面の簡単な説明】
【００１９】
【図１】本発明に係る吸引型仮設トイレ装置の一例を示す説明図である。
【符号の説明】
【００２０】
１    便器本体
２    薄型筺体
３    螺旋状コンベア
４    通路
５    モータ
６    逆止弁（フラッパー）
７    リレータンク
８    便槽
９    高圧ホース
１０  吸引タンク
１１  吸引ポンプ
１２  逆止弁（フラッパー）
Ａ    便所
【図１】
2005074008.tif 000003